(57)【要約】【課題】車載カメラで撮像した車両後方又は側後方などの画像を車室内で好適に表示することができる、画像表示装置を提供する。【解決手段】投影部２０２は、サイド・ウィンドウの一部に配置した半透過の反射板２０１に、車載カメラ１０３で車両の後方を撮像した後方確認用のＣＭＳ画像を表示する。制御部１０２は、表示部１０１が後方確認用のＣＭＳ画像を表示し、運転者が後方確認用のＣＭＳ画像を観察している期間中は、サイド・ウィンドウを完全な閉成状態にして開放動作を禁止することによって、投影部２０２が半透過の反射板２０１に画像を投影できる状態を保つ。【選択図】  図２
2017193190.tif 000002
【特許請求の範囲】
【請求項１】
車両のサイド・ウィンドウに画像を表示する表示部と、
前記表示部の表示状態に応じて、前記サイド・ウィンドウの開閉動作を制御する制御部と、
を具備する画像表示装置。
【請求項２】
前記制御部は、前記表示部が前記画像を表示中は、前記サイド・ウィンドウの開放操作を禁止し、又は、開放中の前記サイド・ウィンドウを閉成する、
請求項１に記載の画像表示装置。
【請求項３】
前記表示部は、前記車両のピラーから離間した一部の領域に前記画像を表示する、
請求項１に記載の画像表示装置。
【請求項４】
前記表示部は、前記サイド・ウィンドウの一部の領域に配設された半透過の反射板と、前記反射板に前記画像を投影する投影部を備える、
請求項１に記載の画像表示装置。
【請求項５】
前記投影部は、前記車両のドアに配置され、前記サイド・ウィンドウに配設された前記反射板に向かって画像を投射する、
請求項４に記載の画像表示装置。
【請求項６】
前記反射板は、前記投影部からの投影光を異方性再帰反射する、
請求項５に記載の画像表示装置。
【請求項７】
前記反射板は、再帰反射ビーズ又はフィルム、コーナーキューブ転写した半透明フィルムのいずれかからなる、
請求項４に記載の画像表示装置。
【請求項８】
前記表示部は、前記サイド・ウィンドウの一部の領域に配設された自発光素子を備える、
請求項１に記載の画像表示装置。
【請求項９】
前記表示部は、異方性表示が可能なモニターと、前記サイド・ウィンドウの一部の領域に配設された半透過の反射板を備える、
請求項１に記載の画像表示装置。
【請求項１０】
前記表示部は、前記画像に境界線を付けて表示する、
請求項１に記載の画像表示装置。
【請求項１１】
前記表示部は、表示領域を複数に分割して、複数の画像を同時表示する、
請求項１に記載の画像表示装置。
【請求項１２】
前記表示部は、前記車両の前側方視界の画像及び後側方視界の画像を並べて表示する、
請求項１１に記載の画像表示装置。
【請求項１３】
前記表示部は、前記車両の側面視界の画像をさらに表示する、
請求項１２に記載の画像表示装置。
【請求項１４】
センサー部と、
前記センサー部の検出結果に基づいて前記表示部が表示する前記画像の輝度又はコントラスト又は半透過反射板の反射率の少なくとも１つを制御する表示制御部と、
をさらに備える、請求項１に記載の画像表示装置。
【請求項１５】
前記表示制御部は、前記センサー部が前記車両の運転者の頭部の動き又は視線移動を検出したことに応じて、前記画像の輝度又はコントラスト又は半透過反射板の反射率の少なくとも１つを制御する、
請求項１４に記載の画像表示装置。
【請求項１６】
前記表示制御部は、前記センサー部が前記車両の運転者の頭部の動き又は視線移動を検出したことに応じて、前記画像の輝度又はコントラストを平常時における設定値よりも上げる、
請求項１４に記載の画像表示装置。
【請求項１７】
前記表示制御部は、前記センサー部が前記車両の運転者の頭部の動き又は視線移動を一定期間検出しないときには、前記画像の輝度又はコントラストを平常時における設定値よりも下げる、
請求項１４に記載の画像表示装置。
【請求項１８】
車両のサイド・ウィンドウに、前記車両のピラーから離間した一部の領域に画像を表示する表示部を具備する画像表示装置。
【請求項１９】
車両のサイド・ウィンドウに画像を表示する表示ステップと、
前記表示ステップにおける表示状態に応じて、前記サイド・ウィンドウの開閉動作を制御する制御ステップと、
を有する画像表示方法。
【請求項２０】
車両のサイド・ウィンドウに、前記車両のピラーから離間した一部の領域に画像を表示する表示ステップを有する画像表示方法。
【請求項２１】
開閉動作するサイド・ウィンドウと、
前記サイド・ウィンドウに画像を表示する表示部と、
前記表示部の表示状態に応じて、前記サイド・ウィンドウの開閉動作を制御する制御部と、
を具備する移動体。
【発明の詳細な説明】
【技術分野】
【０００１】
本明細書で開示する技術は、カメラの撮像画像を表示する画像表示装置及び画像表示装置、並びに移動体に係り、たとえは、車載カメラで撮像した車両後方又は側後方などの画像を車室内で表示する画像表示装置及び画像表示装置、並びに移動体に関する。
【背景技術】
【０００２】
近年、車のドア・ミラーやルーム・ミラーの代わりに、車載カメラで撮像した後方又は側後方の画像をＬＣＤ（Ｌｉｑｕｉｄ  Ｃｒｙｓｔａｌ  Ｄｉｓｐｌａｙ）などのＦＰＤ（Ｆｌａｔ  Ｐａｎｅｌ  Ｄｉｓｐｌａｙ）表示装置に表示して、車両の後方又は側後方の接近物体や障害物を視認するＣＭＳ（Ｃａｍｅｒａ  Ｍｏｎｉｔｏｒｉｎｇ  Ｓｙｓｔｅｍ）が製品化されつつある。
【０００３】
ミラーをなくしてＣＭＳに置き換えることにより、従来のドア・ミラーが不要となることで、車のデザインが洗練されたものとなるだけでなく、空気抵抗の低減により車両の走行がスムーズとなり、さらに燃費の向上にも寄与する。また、大型車両のように後方に荷台があるために、ルーム・ミラーで後方が確認できない車種においても、普通車のルーム・ミラーと同様の後方確認を行なうことが可能となる。
【０００４】
従来（若しくは、ＣＭＳを利用しない場合）、運転者は、ドア・ミラーを介して後方確認をする際に、ドア・ミラー越しに前方左右を目視できる視界が確保されていた。例えば、左右の目と頭部の移動で、ドア・ミラーと前方ピラー（Ａピラー）の隙間越しにそれなりの危険状況察知が可能であった。これに対し、ミラーの代わりにカメラとモニターで構成されたＣＭＳにより後方確認を行なう場合、車室内に配置されるモニターの画面と、運転者が目視で確認すべき視界の方角（とりわけ、ドア・ミラー越しに目視で来た前方左右の視界）が離れるため、運転者が首の振り向き動作の一環で一瞬前方も併せて見る一軸回転での動作シーケンスが失われる。とりわけモニターが前方左右から遠ざかると、視線を振り向けることがさらに減ることで、ミラー周辺で従来なら視界に入った前方の見落としの増加が予想される。すなわち、車両後方と前方左右の情報が離散化したために、運転者は車両周辺認知のための視線移動量が増し、俊敏な状況判断に影響を及ぼしかねない。
【０００５】
例えば、車両のフロント・ウィンドウ、若しくは、サイド・ウィンドウに配設されるホログラフィック光学素子に、車両の側方を撮像する撮像部で撮像された映像を投影する電子サイドミラー装置について提案がなされている（例えば、特許文献１を参照のこと）。しかしながら、この電子サイドミラー装置によれば、静止画情報を窓ガラスのホログラフィック膜に形成して画像表示は可能であるが、光の回折特性を持たせる目的のホログラフィック・パネルではＣＭＳに求められる緊急車両認知に必要なフルカラーの動画表示性能の実現は困難である。また、仮にホログラフィック・パネルにフルカラーの動画を表示したとしても、参照光のスペックル問題で滑らかな後方視野再現は困難であり、輻輳が多く安全は運転を実現できないと思料される。
【０００６】
ちなみに、車左右から後方接近物を確認するためのミラーの配置は、鏡面反射という特性上、ドアサイドやフェンダー左右など配置が限定されていた。特に近年の流れでは、主に左右のサイド窓越しとなり、且つ、右左折時の左右前方視野を確保する観点から、ドア・ミラーと前方ピラーの隙間に僅かながらの覗きスペースを確保する構造設計がなされ、運転者がドア・ミラー越しに前方左右を目視できる視界が確保されていた。
【０００７】
また、右左折動作時に後方からの接近物の巻き込み事故を防止する観点から、運転者は、ミラーで後方からの接近物を間接的に確認するとともに側後方の死角を振り向き確認しつつ、先方進行折曲がり方向の障害物を同時に確認する必要があるが、上記の構造設計では視線がミラー近傍を通過する直線的な視線移動の範囲に集約されている利点があった。
【０００８】
これに対し、ＣＭＳでは、従来のドア・ミラーとは大きく隔てた位置にモニターが配置されると、例えばドア・ヒンジ付近の車室内など、後方からの接近物を確認するときと先方進行折曲がり方向の障害物を確認するときとで視線移動量が大きくなり、危険状況を察知するのに時間的な遅延が起こるリスクが高まる。
【先行技術文献】
【特許文献】
【０００９】
【特許文献１】特開２０１１−２１３１８号公報
【特許文献２】国際公開第２０１３／１９１０８５号
【発明の概要】
【発明が解決しようとする課題】
【００１０】
本明細書で開示する技術の目的は、車載カメラで撮像した車両後方又は側後方などの画像を車室内で好適に表示することができる、画像表示装置及び画像表示装置、並びに移動体を提供することにある。
【課題を解決するための手段】
【００１１】
本明細書で開示する技術は、上記課題を参酌してなされたものであり、その第１の側面は、
車両のサイド・ウィンドウに画像を表示する表示部と、
前記表示部の表示状態に応じて、前記サイド・ウィンドウの開閉動作を制御する制御部と、
を具備する画像表示装置である。
【００１２】
本明細書で開示する技術の第２の側面によれば、第１の側面に係る画像表示装置の前記制御部は、前記表示部が前記画像を表示中は、前記サイド・ウィンドウの開放操作を禁止し、又は、開放中の前記サイド・ウィンドウを閉成するように構成されている。
【００１３】
本明細書で開示する技術の第３の側面によれば、第１の側面に係る画像表示装置の前記表示部は、前記車両のピラーから離間した一部の領域に前記画像を表示するように構成されている。
【００１４】
本明細書で開示する技術の第４の側面によれば、第１の側面に係る画像表示装置の前記表示部は、前記サイド・ウィンドウの一部の領域に配設された半透過の反射板と、前記反射板に前記画像を投影する投影部を備えている。ここで言う半透過の反射板は、半透過反射膜など静的な一定反射率の反射膜でも良ければ、電気的に反射率制御が可能なエレクトロクロミック反射率制御をする反射膜でもよい。
【００１５】
本明細書で開示する技術の第５の側面によれば、第４の側面に係る画像表示装置の前記投影部は、前記車両のドアに配置され、前記サイド・ウィンドウに配設された前記反射板に向かって画像を投射するように構成されている。
【００１６】
本明細書で開示する技術の第６の側面によれば、第５の側面に係る画像表示装置の前記反射板は、前記投影部からの投影光を異方性再帰反射するように構成されている。ここで言う異方性再帰反射とは、通常のビーズ式やライト・アングル・キューブ式の入射光に対して同一方向へ光を反射させる膜とは異なり、フレネル・レンズ又はマイクロ・プリズム式の反射方向を入射光方向に対して制御した、ヘッド・アップ・ディスプレイ（ＨＵＤ）用のコンバイナー機能の反射板の意味である。
【００１７】
本明細書で開示する技術の第７の側面によれば、第４の側面に係る画像表示装置の前記反射板は、再帰反射ビーズ又はフィルム、コーナーキューブ転写した入射光方向へ光を高い配光性で反射する半透明フィルムのいずれかからなる。
【００１８】
本明細書で開示する技術の第８の側面によれば、第１の側面に係る画像表示装置の前記表示部は、前記サイド・ウィンドウの一部の領域に配設された自発光素子を備えている。
【００１９】
本明細書で開示する技術の第９の側面によれば、第１の側面に係る画像表示装置の前記表示部は、異方性表示が可能なモニターと、前記サイド・ウィンドウの一部の領域に配設された半透過の反射板を備えている。
【００２０】
本明細書で開示する技術の第１０の側面によれば、第１の側面に係る画像表示装置の前記表示部は、前記画像に境界線を付けて表示するように構成されている。境界線は、運転者が前記表示部の表示画像を覗き込んだ際に、同一方角の視野に入る背景とモニターのベーゼル相当の境界が明示的に瞬時に判別が可能となる程度の、有意な線幅を持つことが好ましい。例えば、前記画像は、通常の免許取得可能な運転者の最低視力Ｖ＝０．６から換算して、少なくとも１／Ｖ＝１．７分、すなわち０．０２８度以上の視野角の境界線で縁取られていることが好ましい。
【００２１】
本明細書で開示する技術の第１１の側面によれば、第１の側面に係る画像表示装置の前記表示部は、表示領域を複数に分割して、複数の画像を同時表示するように構成されている。複数の画像を同時表示する場合も、画像間を上記と同様に有意な線幅を持つ境界線で分離することが好ましい。
【００２２】
本明細書で開示する技術の第１２の側面によれば、第１１の側面に係る画像表示装置の前記表示部は、前記車両の前側方視界の画像及び後側方視界の画像を並べて表示するように構成されている。
【００２３】
本明細書で開示する技術の第１３の側面によれば、第１２の側面に係る画像表示装置の前記表示部は、前記車両の側面視界の画像をさらに表示するように構成されている。
【００２４】
本明細書で開示する技術の第１４の側面によれば、第１の側面に係る画像表示装置は、センサー部と、前記センサー部の検出結果に基づいて前記表示部が表示する前記画像の輝度又はコントラスト又は半透過反射板の反射率の少なくとも１つを制御する表示制御部をさらに備えている。例えば、前記センサー部は車両周辺の外光を検出する。そして、前記表示制御部は、運転者が前記サイド・ウィンドウ越しに直接視界で外界を見た明るさと前記表示部が前記サイド・ウィンドウに表示した画像の明るさとが乖離しないように、前記画像の輝度又はコントラストを最適制御する。
【００２５】
本明細書で開示する技術の第１５の側面によれば、第１４の側面に係る画像表示装置の前記表示制御部は、前記センサー部が前記車両の運転者の頭部の動き又は視線移動を検出したことに応じて、前記画像の輝度又はコントラスト又は半透過反射板の反射率の少なくとも１つを制御するように構成されている。
【００２６】
本明細書で開示する技術の第１６の側面によれば、第１４の側面に係る画像表示装置の前記表示制御部は、前記センサー部が前記車両の運転者の頭部の動き又は視線移動を検出すると、運転者が前記表示部の表示画像を見る前兆と捉えて、前記画像の輝度又はコントラストを平常時における設定値よりも上げるように構成されている。
【００２７】
本明細書で開示する技術の第１７の側面によれば、第１４の側面に係る画像表示装置の前記表示制御部は、前記センサー部が前記車両の運転者の頭部の動き又は視線移動を一定期間検出しないときには、運転者が前記表示部の表示画像を見る前兆がないとして、前記画像の輝度又はコントラストを平常時における設定値よりも下げるように構成されている。
【００２８】
また、本明細書で開示する技術の第１８の側面は、車両のサイド・ウィンドウに、前記車両のピラーから離間した一部の領域に画像を表示する表示部を具備する画像表示装置である。
【００２９】
また、本明細書で開示する技術の第１９の側面は、
で  車両のサイド・ウィンドウに画像を表示する表示ステップと、
前記表示ステップにおける表示状態に応じて、前記サイド・ウィンドウの開閉動作を制御する制御ステップと、
を有する画像表示方法ある。
【００３０】
また、本明細書で開示する技術の第２０の側面は、車両のサイド・ウィンドウに、前記車両のピラーから離間した一部の領域に画像を表示する表示ステップを有する画像表示方法である。
【００３１】
また、本明細書で開示する技術の第２１の側面は、
開閉動作するサイド・ウィンドウと、
前記サイド・ウィンドウに画像を表示する表示部と、
前記表示部の表示状態に応じて、前記サイド・ウィンドウの開閉動作を制御する制御部と、
を具備する移動体である。
【発明の効果】
【００３２】
本明細書で開示する技術によれば、車載カメラで撮像した車両後方又は側後方などの画像を車室内で好適に表示することができる、画像表示装置及び画像表示装置、並びに移動体を提供することができる。
【００３３】
なお、本明細書に記載された効果は、あくまでも例示であり、本発明の効果はこれに限定されるものではない。また、本発明が、上記の効果以外に、さらに付加的な効果を奏する場合もある。
【００３４】
本明細書で開示する技術のさらに他の目的、特徴や利点は、後述する実施形態や添付する図面に基づくより詳細な説明によって明らかになるであろう。
【図面の簡単な説明】
【００３５】
【図１】図１は、本明細書で開示する技術を適用した画像表示装置１００の構成例を模式的に示した図である。
【図２】図２は、画像表示装置１００を車両に適用した例を示した図である。
【図３】図３は、車載カメラ１０３の設置例とその撮像範囲３０１を例示した図である。
【図４】図４は、表示部１０１の変形例を説明するための図である。
【図５】図５は、表示部１０１の変形例を説明するための図である。
【図６】図６は、表示部１０１の変形例を説明するための図である。
【図７】図７は、表示部１０１の変形例を説明するための図である。
【図８】図８は、表示部１０１の変形例を説明するための図である。
【図９】図９は、表示部１０１の変形例を説明するための図である。
【図１０】図１０は、表示部１０１の変形例を説明するための図である。
【図１１】図１１は、表示部１０１の変形例を説明するための図である。
【図１２】図１２は、表示部１０１の変形例を説明するための図である。
【図１３】図１３は、図１に示した画像表示装置１００の変形例を示した図である。
【図１４】図１４は、表示制御部１０５における状態遷移図を示した図である。
【図１５】図１５は、図１に示した画像表示装置１００の変形例を示した図である。
【図１６】図１６は、図１に示した画像表示装置１００の変形例を示した図である。
【発明を実施するための形態】
【００３６】
以下、図面を参照しながら本明細書で開示する技術の実施形態について詳細に説明する。
【００３７】
図１には、本明細書で開示する技術を適用した画像表示装置１００の構成例を模式的に示している。画像表示装置１００は、主に、車両（図示を省略）に搭載され、車室内でサイド・ウィンドウにＣＭＳの画像を表示するのに用いられる。
【００３８】
画像表示装置１００は、サイド・ウィンドウに画像を表示する表示部１０１と、表示部１０１の表示状態に応じてサイド・ウィンドウの開閉動作を制御する制御部１０２を備えている。
【００３９】
図２には、画像表示装置１００を車両に適用した例を示している。表示部１０１は、例えば、サイド・ウィンドウ２１０に配置された半透過の反射板２０１と、この半透過の反射板２０１に画像を投影する投影部２０２で構成される。ここで言う半透過の反射板は、半透過反射膜など静的な一定反射率の反射膜でも良ければ、電気的に反射率制御が可能なエレクトロクロミック反射率制御をする反射膜でもよい。反射板２０１は、好ましくは、前方ピラーの近傍（若しくは、前方ピラーから少し離間した場所）に配設されている。一方の投影部２０２は、図示の例では、ダッシュボード（インストルメント・パネル・クラスター）付近に設置され、半透過反射板２０１に向かって、ＣＭＳなどの画像を投影する。投影部２０２は、例えばマイクロ・プロジェクターなどで構成される。
【００４０】
図２に示す例では、サイド・ウィンドウ２１０の一部の領域に半透過の反射板２０１を配設しているが、サイド・ウィンドウ２０１の全体にわたって反射板を配設するように構成することもできる。但し、サイド・ウィンドウ２１０の一部の領域にのみ半透過の反射板２０１を配設するという構成を採用することにより、運転者は、サイド・ウィンドウ２１０から車両前側方を確認しようとする際に、ＣＭＳ画像に妨害されることなく、前方への直接視界を確保することができる。すなわち、運転者は、サイド・ウィンドウ２１０越しの前方の直接視界と、ＣＭＳ画像による後方の間接視界を、同一視線内で得ることができる。好ましくは、半透過の反射板２０１は、運転者が従来のドア・ミラーを目視する視野方向に配設されている。
【００４１】
半透明の反射板２０１は、例えばガラス表面にアルミ蒸着を施すことで製作することができる。半透過の反射板２０１は、マイクロ・プリズム、フレネル・レンズ構成、ホログラフィック反射のいずれかの異方性反射シート、又は、外光短波長参照光励起材で構成され、投影部２０２からの投影光によって画像が表示される。また、半透過の反射板２０１は、例えば反射率又は透過率を電気的に制御可能な反射率可変ミラー（Ｅｌｅｃｔｒｏｃｈｒｏｍｉｃミラー）で構成されてもよい。例えば、調光型ハーフミラー（例えば、特許文献２を参照のこと）を、反射板２０１に利用することができる。反射率可変ミラーを介して、運転者へ指向性のあるＣＭＳ画像を表示することができる。
【００４２】
あるいは、反射板２０１は、縦格子状の反射鏡面領域を施していてもよい。あるいは、反射板２０１は、縦格子状の反射鏡面領域を施し、且つ、この格子間隔と鏡面の割合がサイド・ウィンドウ２１０の周囲に行くに従って小さくなるように形成してもよい。
【００４３】
なお、図２には、運転席側（若しくは、右側）のサイド・ウィンドウ２１０に反射板２０１を設置した例を示しているが、助手席側（若しくは、左側）のサイド・ウィンドウにも同様の構成からなる表示部を設置されているものとする。
【００４４】
表示部１０１で表示する画像、言い換えれば、投影部２０２が半透過の反射板２０１に投影する画像は、具体的には、車載カメラ１０３で車両の後方を撮像した後方確認用のＣＭＳ画像である。以下では、特に言及しない限り、ＣＭＳ画像として、車載カメラ１０３で撮像したカラーの動画像を表示するものとする。図３には、車載カメラ１０３の設置例とその撮像範囲３０１を例示している。車載カメラ１０３は、車両の運転席側（又は、助手席側）の側方に設置され、従来のドア・ミラーでカバーしていた車両の側後方の領域を撮像し、表示部１０１ではその撮像画像を後方確認用のＣＭＳ画像として表示する。なお、ドア・ミラーがＣＭＳ画像に置き換えられているという観点から、図３に示す車両にはドア・ミラーを描いていない。
【００４５】
車載カメラ１０３は、例えば全天周カメラや広角カメラでもよい。そして、全天周カメラや広角カメラで撮像した全天周画像又は広角画像から、ドア・ミラーで観察できる範囲に相当する画角を切り出して、表示部１０１で表示するようにしてもよい。あるいは、全天周カメラや広角カメラから、運転者などのユーザーが指定する画角を切り出して、表示部１０１で表示するようにしてもよい。
【００４６】
また、制御部１０２は、表示部１０１が後方確認用のＣＭＳ画像を表示している期間中（若しくは、運転者が後方確認用のＣＭＳ画像を観察しているとき）、サイド・ウィンドウを完全な閉成状態にして開放動作を禁止することによって、投影部２０２が半透過の反射板２０１に画像を投影できる状態、言い換えれば運転者が後方確認できる状態を保つようにする。
【００４７】
例えば、パワー・ウィンドウ・システムを搭載する車両の場合には、制御部１０２は、サイド・ウィンドウが閉成状態のときには開放操作を禁止（ロック）し、サイド・ウィンドウが開放状態のときには閉成するようにサイド・ウィンドウを駆動させる。また、手動式のサイド・ウィンドウの場合には、制御部１０２は、例えばソレノイド・アクチュエーターなどの機構を用いてサイド・ウィンドウの開放操作を規制するようにしてもよい。他の構成例として、通常使用時ではサイド・ウィンドウにはＣＭＳ画像を表示しつつ、サイド・ウィンドウの全開放モードでも後方確認を行なうことができるように、サイド・ウィンドウが一定以上開いているときには、サイド・ウィンドウの代わりにＣＭＳ画像を表示する予備表示部へ切り替えて表示を行なうようにしてもよい（図１６を参照のこと）。
【００４８】
図２から、運転者がＣＭＳ画面を観察し又は観察しようと視線移動を行なっている間に、前方ピラー近傍の前側方の視覚が一部視野に入るので、完全な死角発生を最小限にとどめることができることを理解できよう。したがって、車両の右左折時に、運転者は、サイド・ウィンドウの一部に表示された後方確認用のＣＭＳ画像で車両の車両後方又は側後方を視認する際に、ＣＭＳ画像越しに（若しくは、前方ピラーとＣＭＳ画像の間隙を使って）、同時に同じ視野で前方の視界も確保することができる。
【００４９】
運転者は、従来のドア・ミラーを見るのとほぼ同じ視線移動で後方確認が可能となり、後方確認の動作シーケンスの一環で、サイド・ウィンドウの半透明反射板２０１に表示されたＣＭＳ画像と前方ピラーの隙間から、一瞬前方視野も併せて見たり、視線の中心視野でＣＭＳのモニター画像を見ている間でも運転者の周辺視野に直接視界の前方映像を捉えたりすることができる。したがって、運転者は、後方確認シーケンスで見落としや認知遅延を最小限に抑えて、後方からの接近物の巻き込み事故などを防止することができる。また、本実施形態に係る画像表示装置１００を車両に適用すると、運転者は、少ない視線移動量で、後方確認用のＣＭＳ画像を視認して、速やかに前方の視野も確認することができる。つまり、視線の動線を従来のドア・ミラーと極めて近い推移となり運転者が確認する負荷が低減されることで、素早く危険認知できるようになることが期待される。
【００５０】
なお、特許文献１には、サイド・ウィンドウに配設されるホログラフィック光学素子に車載カメラで撮像した映像を投影するように構成された電子サイドミラー装置について開示されている。しかしながら、ホログラフィック光学素子は、特定の単一波長からなる静止画をコヒーレント光により再生表示するか、又は動画であれば特定波長光源による投影画像を回折板として機能するが、ＣＭＳに求められるフルカラーの動画表示を実現できないという問題がある。ＣＭＳは特に運転者による運転に関わる車両周辺の瞬時の状況認知に不可欠な装置であり、例えば緊急車両の認知など重要な役割を担っているため、単色表示ではその役割を十分に果たせない。
【００５１】
ここで、表示部１０１の変形例について説明しておく。
【００５２】
例えば、反射板２０１に、縦格子状の反射鏡面領域を施した反射板を用いてもよい。このような場合、運転者は、通常の前方視認操舵中においては、直接視界を見えつつも、後方確認を行ないたいときには視線移動によってＣＭＳ画像を見ることができる。
【００５３】
また、反射板２０１に縦格子状の反射鏡面領域を施し、且つ、この格子間隔と鏡面の割合がサイド・ウィンドウ２１０の周囲に行くに従って小さくなるように形成してもよい。このような場合にも、運転者は、通常の前方視認操舵中においては、直接視界を見えつつも、後方確認を行ないたいときには感覚的に体を動かすことによってＣＭＳ画像を見ることができる。すなわち、運転者は運転状況に応じて自然と感覚的に体を動かすことによって、直接視界を確保しつつ、後方確認も行なうことができる。
【００５４】
また、投影部２０２から反射板２０１に、左右視差のある画像を表示するようにしてもよい。このような場合、運転者は、左右視差のある、立体的なＣＭＳ画像を観察して後方確認を行なうことができる。
【００５５】
また、サイド・ウィンドウ２１０に配置した反射板２０１の領域は、基本的には目立った枠設定を行なわない。但し、運転者にとって視線移動ターゲットであることを明示するために、ＣＭＳ画像をシームレス表示せず、図２中の参照番号２１１で示すような、枠形成を施す。枠２１１は、運転者によるサイド・ウィンドウ２１０越しの直接視界の大きな妨害とならない程度であることが好ましい。反射板２０１の側縁に枠２１１を施すようにしてもよいし、投影部２０２が投影するＣＭＳ画像に枠２１１を表示するようにしてもよい。枠２１１は、運転者が視認することができる、有意な線幅を持つ境界線であることが好ましい。有意な線幅を持つ境界線とは、運転者が反射板２０１に投影されたＣＭＳ画像を覗き込んだ際に、同一方角の視野に入る背景とモニターのベーゼル相当の境界が明示的に瞬時に判別が可能となる程度の境界線である。例えば、通常の免許取得可能な運転者の最低視力Ｖ＝０．６から換算して、少なくとも１／Ｖ＝１．７分、すなわち０．０２８度以上の視野角となる境界線であることが望ましい。なお、自発光素子を用いて表示部を構成する場合（後述）、枠２１１はそのベーゼル枠であってもよい。
【００５６】
参考のため、図４には、サイド・ウィンドウ２１０に、参照番号４０１で示すＣＭＳ画像をシームレス表示した様子を示している（点線は実際には表示されないものとする）。シームレス表示したＣＭＳ画像４０１が、サイド・ウィンドウ２１０越しに見える直接視界に埋没してしまい、運転者はどの部分がＣＭＳ画像４０１の表示なのかを一瞬では識別できないおそれがあり、直接視界や間接視界の確認の大きな障害になってしまう。このＣＭＳの画像周辺部の境界を視覚的に認知ができない程度まで削減してしまうと、運転状況によっては前方の直接視界なのか、又は後方の間接視界なのかを判別し難くなり、その間の認知の迷いを誘発して対処操作の遅れや誤認・誤操作につながるリスクが増えるため、図４に示すような表示は避けるべきである。
【００５７】
また、図２では、投影部２０２をダッシュボード（インストルメント・パネル・クラスター）付近に設置した構成例を示したが、投影部２０２の設置場所はこれに限定されない。投影部２０２がマイクロ・プロジェクターのような小型の機器で構成される場合には、設置場所に柔軟性がある。例えば、図５に示すように、ドア内に投影部５０２を埋め込むようにしてもよい。図示を省略するが、左側（若しくは、助手席側のドア）についても同様である。ドアに埋め込まれた投影部５０２は、上方のサイド・ウィンドウ５１０に配設された反射板５０１に向かってＣＭＳ画像などの光を投射する。図２に示したような構成例では、投影部２０２からの投射光は外側を向いているので、反射板２０１若しくはサイド・ウィンドウ２１０を透過した光が隣接車両の運転者の視界に入って視界妨害するおそれがある。これに対し、図５に示す構成例によれば、投影部５０２からの投射光は上を向いているので、隣接車両の運転者の視界に入って視界妨害となることはない。
【００５８】
また、図５に示す変形例では、反射板５０１には、異方性再帰反射シートを用いてもよい。再帰反射は、一般に、入射した光が再び入射方向へ帰る反射現象である。ここで言う異方性再帰反射とは、通常のビーズ式やライト・アングル・キューブ式の入射光に対して同一方向へ光を反射させる膜とは異なり、フレネル・レンズ又はマイクロ・プリズム式の反射方向を入射光方向に対して制御した、ヘッド・アップ・ディスプレイ（ＨＵＤ）用のコンバイナー機能の反射板の意味である。これに対し、異方性再帰反射シートからなる反射板５０１は、有指向性反射により、下方の投影部５０２から投射されるＣＭＳ画像を運転者に向かって投影表示させる特性を付加することが可能である。したがって、ＣＭＳ画像は運転者にしか見えず、他の搭乗者や他の周辺走行車両にとって眩しくはないという利点がある。
【００５９】
また、図６には、投影部６０２を、運転者の眼球位置近傍の頭部位置に設置している変形例を示している。例えば、車両の天板部に投影部６０２を固定するようにしてもよい。この場合、投影部６０２は、サイド・ウィンドウ６１０に配設された反射板６０１に、例えば車両ルーフといった運転者の眼球位置に近似する方向からＣＭＳ画像などの光を投射することになる。反射板６０１として、再帰反射ビーズ又はフィルム、コーナーキューブ転写した半透明フィルムなどを用いることで、運転者の視線位置近傍でのみＣＭＳ画像が見えるようにすることができる。したがって、ＣＭＳ画像は運転者にしか見えず、他の搭乗者にとって眩しくはないという利点がある（同上）。例えば、コーナーキューブ転写した半透明フィルムは、入射光方向へ光を高い配光性で反射する。
【００６０】
図２、図５並びに図６では、サイド・ウィンドウに配置した半透明の反射板に投影部からＣＭＳ画像を投射する表示部１０１の構成例について示してきた。これに対し、図７に示すように、サイド・ウィンドウ７１０の一部の領域に配設した自発光素子７０１だけで表示部１０１を構成することもできる。自発光素子７０１は、半透過タイプでもよい。半透過タイプの自発光素子７０１であれば、自発光輝度を制御し、ＣＭＳ画像を表示することによって、上記と同様に、前方の直接視界と後方の間接視界を、運転者の同一視線内で提供することができる。
【００６１】
半透過タイプの自発光素子として、例えばＱＬＥＤ（Ｑｕａｎｔｕｍ−ｄｏｔ    Ｌｉｇｈｔ Ｅｍｉｔｔｉｎｇ Ｄｉｏｄｅ：量子ドット発光ダイオード）やＯＬＥＤ（Ｏｒｇａｎｉｃ  ＬｉｇｈｔＥｍｉｔｔｉｎｇ Ｄｉｏｄｅ：有機発光ダイオード）などの表示パネルを挙げることができる。また、部分能動発光部を持つ半透過のＱＬＥＤヤＯＬＥＤ表示パネルを用いてもよい。
【００６２】
この種の自発光素子は、半透過タイプであるとともに、輝度調整が可能である。したがって、直接視界の領域における物体照度に応じてモニターパネルの自発光素子の輝度とコントラストを例えば環境光に応じて調整することで、直接視界又は間接視界のいずれか一方への注意が阻害されないようにバランスをとることができる。
【００６３】
図７に示す構成例によれば、表示部１０１は、半透過タイプの自発光素子のみで、投影部は不要となるので構成が簡素化する。また、投影部からの投射光が運転者や搭乗者の身体の一部、その他の物体などで遮られてＣＭＳ画像の一部が欠落するような心配がない。
【００６４】
また、図８には、サイド・ウィンドウ８１０の一部の領域に設けられた表示領域８０１を複数に分割して、複数のＣＭＳ画像を同時に表示する変形例を示している。具体的には、表示領域８０１を前後方向に２分割して、前側の表示領域８０１−１には自車両の前側方の視界のＣＭＳ画像を表示するとともに、後ろ側の表示領域８０１−２には自車両の後側方の視界のＣＭＳ画像をタンデム表示している。表示内容の構成画像の一例としては、前側の表示領域８０１−１に、図３に示す広角の画像から車両前方部の画像を中心射影変換した切り出し画像を表示し、後ろ側の表示領域８０１−２には、図３に示す広角の画像から車両後方部の法規必須表示領域を歪みのない中心射影変換画像として表示してもよい。
【００６５】
視界が異なる複数のＣＭＳ画像からなる表示領域８０１は、図２などに示したように、サイド・ウィンドウ８１０の一部の領域に配設された半透過の反射板上に、投影部から投射した画像として実現することができる。あるいは、図７を参照しながら説明したように、ＱＬＥＤやＯＬＥＤなどの半透過タイプの自発光素子で表示領域８０１を構成することもでき、画面を複数に分割して領域毎に異なる視界のＣＭＳ画像を同時表示することによっても実現することができる。
【００６６】
図８に示すように、サイド・ウィンドウ８１０の一部に設けられた表示領域８０１に視界が異なる複数のＣＭＳ画像を同時に表示することで、運転者は、前方を注意しながら走行している最中であっても、サイド・ウィンドウ８１０（若しくは、表示領域８０１）への一瞬の視線移動で、より広い視界を確認することができ、認知判断へつなげることができる。
【００６７】
また、図９には、サイド・ウィンドウ９１０の一部の領域に設けられた表示領域９０１を複数に分割して、複数のＣＭＳ画像を同時表示するさらに他の変形例を示している。具体的には、表示領域９０１を上下方向に２分割して、上側の表示領域９０１−１には自車両の側面の視界（サラウンド・ビュー）のＣＭＳ画像を表示するとともに、下側をさらに前後方向に２分割して、前側の表示領域９０１−２には自車両の前側方の視界のＣＭＳ画像を表示するとともに、後ろ側の表示領域９０１−３には自車両の後側方の視界のＣＭＳ画像をタンデム表示している。
【００６８】
図９に示す表示例も、サイド・ウィンドウの一部の領域に配設された半透過の反射板と、この反射板に画像を投射する投影部の組み合わせからなる表示部１０１で実現することができる。勿論、表示部１０１をＱＬＥＤやＯＬＥＤなどの半透過タイプの自発光素子で構成しても、同様に実現することができる。
【００６９】
車両の前方視界、後方視界、さらには側面視界（サラウンド・ビュー）の各ＣＭＳ画像を得るために、車両の側面に、視界が異なる複数の車載カメラを設置してもよい。あるいは、車両の側面に１台の全天周カメラを設置して（図３を参照のこと）、全天周カメラが撮像した全天周画像から、車両の前方視界、車両の後方視界、並びに車両の側面視界の画像をそれぞれ切り出して、図８や図９に示した各表示領域にマッピングするようにしてもよい。
【００７０】
なお、図９に示した表示例において、車両の後側方視界のＣＭＳ画像に比べて、前側方視界と車両側面視界（サラウンド・ビュー）のＣＭＳ画像の表示拡大率を小さくして表示するようにしてもよい。前側方視界と車両側面視界の情報は、後側方視界に比べて優先度が低いことから、詳細を見て判断するのではなく、障害物の有無など大まかな情報を認知することが目的だからである。
【００７１】
図８や図９に示したように、１つの表示領域に視界が異なる複数のＣＭＳ画像を同時表示する場合、運転者がサイド・ウィンドウへ視線を移動させた際に、視界が異なる複数のＣＭＳ画像が同一視野内に入ってくる。このとき、運転者が個々のＣＭＳ画像から情報判別を行なうのに長い時間時間を要すると、深刻な事態を招来しかねない。例えば、車間距離を十分おかずに高速で走行中で追い越しする際に、運転者がサイド・ウィンドウの一部の領域に表示されたＣＭＳ画像を確認するために視線移動を行なった瞬間に、前方の車両で急ブレーキ操作を行なわれたとする。運転者がＣＭＳ画像の情報を認知して視線を前方に復帰させるまでに時間が掛かると、追突事故に直結しかねない。すなわち、１秒未満の瞬時判断が大きな意味合いを持つ。
【００７２】
視界が異なる複数のＣＭＳ画像を同時表示された表示領域から、より短い時間で個々の情報判別を行なうには、各ＣＭＳ画像の配置関係が極めて重要である、と本出願人は思料する。例えば図８に示したように、車両の前方視界のＣＭＳ画像と車両の後方視界のＣＭＳ画像をタンデム表示することで、運転者は視覚的に入った情報を早く認知できると考えられる。さらに、図９に示したように、車両の側面視界のＣＭＳ画像を組み合わせることで、運転者の情報認知はより速くなると考えられる。
【００７３】
また、図１０には、図９の変形例を示している。図１０では、自車両の前側方視界のＣＭＳ画像の表示領域９０１−２と、後側方視界のＣＭＳ画像の表示領域９０１−３並びに側面視界のＣＭＳ画像の表示領域９０１−１の間を、参照番号１００１で示すように、有意な線幅（同上）を持つ境界線で明示的、明瞭に分離している。
【００７４】
通常の前方走行時に、ドアミラー（若しくは、後写鏡）より得る最重要情報は、自車両の側方を走行する隣接車両や、自車両の後方から接近する後続車両の存在である。一方、自車両の前側方の情報は、駐車や街角を折れ曲がる際の低速操舵時に必要となる。つまり、自車両の後側方視界の優先度が最大で、続いて自車両側面の視界の優先度が高い。前側方視界の情報を判断するまでには時間的余裕があり、認知が後側方視界や車両側面よりも多少遅れても、低速運転時ならば運転者には事故回避の操舵時間の余裕がある。
【００７５】
図１０に示す境界１００１は、優先度の高いＣＭＳ画像の表示領域９０１−１及び９０１−３と、優先度の低いＣＭＳ画像の表示領域９０１−２の境界を明示的、明瞭に表示するものである。したがって、運転者は、境界１００１を目印にして優先度の高いＣＭＳ画像の情報認知を早く終わらせるようにすれば、事故回避につながる。
【００７６】
また、図１１には、図９のさらなる変形例を示している。図１１に示す例では、サイド・ウィンドウ１１１０の一部の領域に設けられた表示領域１１０１を前後方向に２分割し、前側をさらに上下方向に２分割して、前側の上の表示領域１１０１に自車両の前側方視界のＣＭＳ画像を表示し、前側の下の表示領域１１０２に自車両の後側方視界のＣＭＳ画像を表示するとともに、後ろ側の表示領域１１０３には自車両の側面視界（サラウンド・ビュー）のＣＭＳ画像を表示している。その際に、後側方視界のＣＭＳ画像に比べて、前側方視界と車両側面視界のＣＭＳ画像の表示拡大率を小さくして表示するようにしてもよい。前側方視界と車両側面視界の情報は、後側方視界に比べて優先度が低いことから、詳細を見て判断するのではなく、障害物の有無など大まかな情報を認知することが目的だからである。
【００７７】
また、図１２には、表示部１０１の他の構成例を示している。図示の表示部１０１は、異方性表示が可能なＬＣＤ（Ｌｉｑｕｉｄ  Ｃｒｙｓｔａｌ  Ｄｉｓｐｌａｙ）モニター１２０２と、サイド・ウィンドウ１２１０の一部の領域に配設された半透過の反射板１２０１で構成される。ＬＣＤモニター１２０１は、ウィンド・シールド・ガラス（フロント・ガラス）１２２０の下方に配設されている。ＬＣＤモニター１２０２に表示されるＣＭＳ画像は、サイド・ウィンドウ１２１０の一部の領域に配設された半透過の反射板１２０１で反射される。運転者は、反射板１２０２の反射光として、ＣＭＳ画像を観察することができる。
【００７８】
ＬＣＤモニター１２０１は輝度異方性を持ち、運転者は、ＬＣＤモニター１２０２の表示画像を直接目視することはできず、従来のドア・ミラーを目視する視野方向に配設された反射板１２０２を介してのみ観察することができる。異方性表示のＬＣＤモニター１２０１を使用する場合、正面方向すなわち運転者が直接目視する方向に、別の（すなわち、ＣＭＳ画像以外の）コンテンツ（例えば、車両の速度表示など）を表示するようにしてもよい。
【００７９】
また、上記のように運転席側だけでなく、助手席側にも、異方性表示が可能なＬＣＤモニター１２０２´を配設するとともに、助手席側のサイド・ウィンドウ１２１０´にはＬＣＤモニター１２０２´の表示画像を反射する半透過の反射板１２０１´を配設するようにしてもよい。但し、一般に助手席側ではモニターの配置位置が従来のドア・ミラーと若干異なっても、運転者の視点からすれば距離が離れているため、必ずしも半透過の反射板１２０１´を介さずにＬＣＤモニター１２０２´を直接視認する使い方であっても良く、運転席側と助手席側が非対称となる構成であっても良い。
【００８０】
図１２に示す実施例においても、図８乃至図１１に示した実施例と同様に、ＬＣＤモニター１２０２の表示画像を複数に分割して、反射板１２０１に複数のＣＭＳ画像を同時に表示するように構成してもよい。
【００８１】
図１３には、図１に示した画像表示装置１００の変形例を示している。図１３に示す画像表示装置１００は、センサー部１０４と、表示制御部１０５をさらに備えている。また、表示部１０１は、反射板２０１として反射率又は透過率を電気的に制御可能な反射率可変ミラー（Ｅｌｅｃｔｒｏｃｈｒｏｍｉｃミラー）を用い、又は、投影部２０２から投影するＣＭＳ画像の輝度とコントラストやバックライトの照射光強度を制御可能であることを想定している。そして、表示制御部１０５は、センサー部１０４による検出結果に基づいて、表示部１０１における反射板２０１の反射率や、投影部２０２から投射するＣＭＳ画像の輝度とコントラストなどを制御する。なお、図７に示したように表示部１０１が自発光素子で構成される場合には、表示制御部１０５は、センサー部１０４による検出結果に基づいて、自発光素子の輝度とコントラスト、又は半透過の反射板の反射率の少なくとも１つの調整を行なうようにする。以下、センサー部１０４による検出結果に基づく表示制御について、例示しておく。
【００８２】
（１）外光、環境光に応じた表示制御
センサー部１０４は、照度センサーを装備して、外光や環境光を検出する。そして、表示制御部１０５は、センサー部１０４で検出された外光や環境光の強度に応じて、表示部１０１における反射板２０１の反射率や投影部２０２から投影されるＣＭＳ画像の輝度とコントラスト、又は半透過の反射板の反射率の少なくとも１つの切り替えを制御して、運転者がサイド・ウィンドウ越しに直接視界で外界を見た明るさとサイド・ウィンドウに表示された画像の明るさとが乖離しないようにする。例えば、外光や環境光が強いときには、ＣＭＳ画像の視認性を向上させるために、反射板２０１の反射率を平常時における設定値よりも上げて反射光の輝度を上げたり、ＣＭＳ画像の輝度とコントラストを平常時における設定値よりも上げたりする。すなわち、直接視界の領域における物体照度に応じて反射板２０１の反射率やＣＭＳ画像の輝度を調整することで、直接視界又は間接視界のいずれか一方への注意が阻害されないようにバランスをとることができる。
【００８３】
（２）周囲環境、運転環境に応じた表示制御
センサー部１０４は、車両の周囲環境や運転環境を検出し、表示制御部１０５はその検出結果に基づいて表示部１０１における反射板２０１の反射率やＣＭＳ画像の輝度とコントラスト、又は半透過の反射板の反射率の少なくとも１つなどを制御する。図８乃至図１１ではＣＭＳ画像を表示する変形例を示したが、通常走行時におけるドア・ミラー（若しくは、サイドミラー）相当の定常表示画像と、低速走行で駐車を支援するための表示画像とを、運転者の意図に応じて切り替え表示するようにしてもよい。
【００８４】
センサー部１０４は、例えば、車載カメラの撮像画像の画像認識などの解析や、マイクロフォンなどの集音装置で取得される音声の解析結果などに基づいて、周囲環境や運転環境を検出する。さらに、センサー部１０４は、ＶＩＣＳ（登録商標）（Ｖｅｈｉｃｌｅ  Ｉｎｆｏｒｍａｔｉｏｎ  ａｎｄ  Ｃｏｍｍｕｎｉｃａｔｉｏｎ  ＳＹｓｔｅｍ）などの道路交通情報のリアルタイム配信システムを利用して、現在走行している道路の運転環境を検出するようにしてもよい。
【００８５】
例えば、センサー部１０４が、車載カメラの画像解析などに基づいて、後続車両が接近していることを検出したときには、運転者はＣＭＳ画像による後方の間接視界を確認する必要があることから、反射板２０１の反射率やＣＭＳ画像の輝度とコントラストを平常時における設定値よりも上げて、ＣＭＳ画像の視認性を向上させるようにする。
【００８６】
また、センサー部１０４が、サイレン音の検出結果に基づいて緊急車両が接近していると判断したときや、車載カメラの画像解析やＶＩＣＳ（登録商標）などの車外からの受信情報などに基づいて自車両の近くで事故が発生したことを検出したときには、表示制御部１０５は、反射板２０１の反射率やＣＭＳ画像の輝度とコントラストを平常時における設定値よりも上げて、運転者が間接視界を確認し易くする。
【００８７】
（３）車速に応じた表示制御
センサー部１０４は、例えば、車体の軸回転運動の角速度を検出するジャイロ・センサー、車両の加速度を検出する加速度センサー、エンジン回転数又は車輪の回転速度などを検出するためのセンサーなどを備え、車両の走行速度を検出する。
【００８８】
車両が例えば高速道路を走行しているときなど高速走行中には、運転者は、ＣＭＳ画像による後方の間接視界を確認する必要性が高まる。そこで、表示制御部１０５は、センサー部１０４によって検出される車速に応じて、反射板２０１の反射率や、ＣＭＳ画像の輝度とコントラストを制御するようにしてもよい。例えば、車両が高速走行中に、運転者が車線変更のためのウィンカー操作を行なったことや、運転者の視線が側後方の確認のための推移を開始したことに応答して、ＣＭＳ画像の視認性を向上させるために、反射板２０１の反射率を平常時における設定値よりも上げて反射光の輝度を上げたり、ＣＭＳ画像の輝度とコントラストを平常時における設定値よりも上げたりする。運転者の視線移動開始期に既にモニターの輝度向上やコントラスト向上を実施するのは、人の視認特性で周辺視野での時間的輝度変化の大きなところに注意喚起が起こることで、より速やかに目標箇所へ視線移動を促す効果がある。つまり、ＣＭＳ画像のコントラストを高めることにより、視線移動が始まると、眼球の移動に応じて対象物の輝度変化が増すことになるので、より早い認知が可能となる。
【００８９】
（４）運転操作に応じた表示制御
例えば、車両の右左折時には、運転者は、車両の左又は右の側後方を確認する必要がある。センサー部１０４は、ウィンカーの操作やステアリングの操舵角などに基づいて、車両が左又は右に折れ曲がろうとしていることを検出することができる。そして、表示制御部１０５は、センサー部１０４が自車両の右左折を検出したことに応答して、ＣＭＳ画像の視認性を向上させるために、反射板２０１の反射率を平常時における設定値よりも上げて反射光の輝度を上げたり、ＣＭＳ画像の輝度とコントラストを平常時における設定値よりも上げたりする。通常の直進運転を続けている際は、車線変更や右左折を行なうときのように車両後方の確認を行なう必然性はないため、運転者は適宜状況を把握するが緊急性はない。そこで、後方画像の観察に緊急性がない状況では、ＣＭＳ画像の輝度やコントラストを低く設定することで運転者の周辺視野への視覚刺激を低く抑えるが、右左折や車線変更のための運転操作が行なわれ、後方画像を視認する必要性が差し迫ったときには、ＣＭＳ画像の輝度やコントラストを引き上げることで、視覚認知の際の視線振り向き先のターゲットが運転者に知覚され易くする。結果的に運転者の素早い後方確認を助ける効果があり、早期の車両周辺認知へ寄与する。また、通常の直進運転を続けている際などの後方画像の観察に緊急性がない状況では、ＣＭＳ画像の輝度やコントラストを低く設定することで、車両の消費電力を抑えることもできる。
【００９０】
（５）運転者の意思に応じた表示制御
人間工学的な知見から、運転者が後方確認する医師や必要性に応じて認知を手助けする仕組みが望ましい。センサー部１０４は、運転者がＣＭＳ画像による後方の間接視界を確認する意思があるかどうかを検出する。そして、表示制御部１０５は、センサー部１０４によって運転者の後方確認の意思を検出したことに応答して、ＣＭＳ画像の視認性を向上させるために、反射板２０１の反射率を平常時における設定値よりも上げたり、ＣＭＳ画像の輝度とコントラストを平常時における設定値よりも上げたりする。
【００９１】
センサー部１０４は、運転者の頭部の動きや左右の目の視線移動を追尾トラッキングする。センサー部１０４は、例えば、車両の車室内に設置されたドライブ・モニター・カメラで構成される。あるいは、運転者の頭部にジャイロ・センサーや加速度センサー、筋電センサーなどを取り付けて、センサー部１０４として利用することもできる。
【００９２】
運転者の頭部の位置や視線が通常のデフォルト位置から変動すると、表示制御部１０５は、センサー部１０４で検出されるその移動量に応じて、反射板２０１の反射率を能動的に切り替える。また、投影部２０２のバックライトの照射光強度を制御が可能な場合には、運転者の頭部の位置や視線が通常のデフォルト位置から変動すると、表示制御部１０５は、センサー部１０４で検出されるその移動量に応じて、投影部２０２のバックライトの照射光強度やＣＭＳ画像の輝度とコントラストの能動的に切り替える。デフォルト位置からの変化検出は、運転者の個人差により特定の閾値を定めることが難しい。そこで、実際の切り替えのトリガーは、例えば人工知能を用いて運転者の個体固有の身体的動きの特徴を学習し、切り替えを可能とする仕組みを用いてもよい。
【００９３】
また、表示制御部１０５は、センサー部１０４で検出される頭部の水平方向（すなわち、左右への）移動量に応じて、反射板２０１に投影表示されるＣＭＳ画像の輝度をコントロールするようにしてもよい。
【００９４】
例えば、運転者が頭部を左又は右に移動させることによって視線位置を変えたときには、運転者がＣＭＳ画像で後方確認を行なう前兆と捉えることができる。そこで、センサー部１０４で運転者の頭部の左右移動や視線位置の移動を検出したことに応答して、表示制御部１０５が、反射板２０１の反射率を平常時における設定値よりも上げて反射光の輝度を上げたり、投影部２０２から反射板２０に投影するＣＭＳ画像の輝度とコントラストを平常時における設定値よりも上げたりすることにより、運転者は後方確認用のＣＭＳ画像を視認し易くなる。また、運転者は、ＣＭＳ画像越しに（若しくは、前方ピラーとＣＭＳ画像の間隙を使って）、同時に同じ視野で前方の視界も確保することができる。
【００９５】
ここで、運転者がＣＭＳ画像による後方の間接視界に視線を合わせる際に、頭部と眼球の大きな振り向き移動を伴う。その振り向きざまに、ＣＭＳ画像の輝度とコントラストを一瞬、平常時における設定値よりも上げることで、運転者の視線移行運動のターゲットが視野外の動体視力が刺激されて、運転者の視線がターゲットへと移行する運動がわずかながら俊敏になる。すなわち、運転者の視線移動を検出したことに応答して、輝度とコントラストを平常時における設定値よりも上げた画像を表示することによって、ロッドと呼ばれる周辺視野を刺激することにより、運転者のＣＭＳ画像への視線移動や焦点調整がわずかながら俊敏になり、ＣＭＳ画像の認知シーケンスを高速化することができる。さらに、ＣＭＳ画像の輝度とコントラストを平常時における設定値よりも上げることで、運転者の目の焦点を無限からＣＭＳ画像（を表示する反射板２０１、又はコンバイナーにより定まる中空画像）の有限長位置に速やかに合わせ始めるという効果がある。
【００９６】
一方、常に周辺視野にＣＭＳ画像が表示されていると、運転者は、そのＣＭＳ画像の変化に対して注意度が慣れてしまい、注意力の低下につながる。通常の前方視認操舵中においては、ＣＭＳ画像で表示されるような、輝度発光体による周辺画像情報は、安全走行の観点からは有難い情報は少なく、むしろ妨害でさえある。そこで、運転者が通常の操舵中であって頭部を左右に動かしたり視線位置を変えたりしていない間は、センサー部１０４で運転者の頭部の左右移動や視線位置の移動が一定期間検出されないので、運転者がＣＭＳ画像で後方確認を行なう前兆がないとして、表示制御部１０５は、反射板２０１の反射率を平常時における設定値よりも下げたり、投影部２０２から反射板２０に投影するＣＭＳ画像の輝度とコントラストを平常時における設定値よりも下げたりする。これによって、運転者の注意力の低下を予防することができる。また、運転者は、ＣＭＳ画像の輝度に妨害されることなく、前方への直接視界を確保することができる。
【００９７】
付言すれば、運転者がＣＭＳ画像を見ていない間は、ＣＭＳ画像の輝度を低下させることで、不必要な目の疲れや視神経疲労を和らげる効果を期待できる。また、投影部２０２のバックライトの照射光強度を落とすことで、消費電力を低減することができる。
【００９８】
（６）ＣＭＳ画像の認知速度を上げるための表示制御
車両側後方の情報を必要なタイミングで速やかに運転者にフィードバックする必要から、運転者の意思を反映して、ＣＭＳ画像の視認動作をいち早く捉え、且つ、運転者が脳の認知作業を素早く実施する補助となることが画像表示装置１００として理想的である。
【００９９】
実際には、運転者の思考を直接確認することはできないので、上述したように、運転者の頭部と視線の移動の特徴を速やかに捉え、その動作開始時にＣＭＳ画像にいち早く視線が移動し且つ焦点調整を行なって、認知を開始できるかで、ＣＭＳ画像の認知速度が決まる。人間の周辺視野知覚を使用して、より明るく変化する箇所に中心視線を捉える生体周辺危険検知能力を利用することができたら有効である。そのためには、運転者の頭部や視線の移動を検出したことに応答して、ＣＭＳ画像の輝度とコントラストを平常時における設定値よりも上げて、ロッドと呼ばれる周辺視野を刺激するとよい。
【０１００】
その後、視線のＣＭＳ画像凝視（固視）のサッケード移動が終了したことを検知して、ＣＭＳ画像の輝度とコントラストを定常に戻すようにしてもよい。ここで、サッケード運動は、修敏な細かなカクカクカクとした飛び飛びの回転加速と一方向を向いたら停止する小刻みな眼球運動であり、運転者の注意度を推定する指標になり得る。さらに、被視認安定ステータス（固視）に入ったことを検出すると、ＣＭＳ画像の輝度を平常時における設定値よりも下げて（例えば、投影部２０２のバックライトの輝度を平常時における設定値よりも下げる）、スタンバイ状態に移行させるようにしてよい。
【０１０１】
図１４には、表示制御部１０５における状態遷移図を示している。表示制御部１０５は、表示部１０１の輝度やコントラストを低下させたスタンバイ状態と、表示部１０１の輝度やコントラストを平常時における設定値とした定常状態と、表示部１０１の輝度やコントラストを一瞬だけ平常時における設定値よりも上げる輝度・コントラストのアップ状態を備えている。
【０１０２】
車両を低速で走行させ、且つ、運転者の頭部の位置や視線が通常のデフォルト位置のときには、表示制御部１０５は、スタンバイ状態で待機している。スタンバイ状態では、例えば投影部２０２のバックライトの照射光が低く抑えられ、低消費電力の状態でもある。
【０１０３】
運転者の頭部の位置や視線が通常のデフォルト位置から変動すると、表示制御部１０５は、定常状態、又は、輝度とコントラストのアップ状態になり、表示部１０１の輝度やコントラストが上がるので、ＣＭＳ画像による後方の間接視界を確認し易くなる。
【０１０４】
また、車両を右左折させるときや、緊急車両が接近してきたときにも、表示制御部１０５は、定常状態、又は、輝度とコントラストのアップ状態になり、表示部１０１の輝度やコントラストが上がるので、ＣＭＳ画像による後方の間接視界を確認し易くなる。
【０１０５】
また、輝度とコントラストのアップ状態では、ＣＭＳ画像の輝度とコントラストを一瞬だけ平常時における設定値よりも上げることで、運転者の視線移行運動のターゲットが視野外の動体視力が刺激される。これによって、ロッドと呼ばれる周辺視野を刺激することにより、運転者のＣＭＳ画像への視線移動や焦点調整がわずかながら俊敏になり、ＣＭＳ画像の認知シーケンスを高速化することができる。さらに、ＣＭＳ画像の輝度とコントラストを平常時における設定値よりも上げることで、運転者の目の焦点を無限からＣＭＳ画像（を表示する反射板２０１）の有限長位置に速やかに合わせ始めるという効果がある。
【０１０６】
輝度とコントラストのアップ状態は、運転者のＣＭＳ画像への視線移動や焦点調整の補助になるが、表示部１０１における消費電力が増大するという問題がある。そこで、表示制御部１０５は、視線のＣＭＳ画像凝視のサッケード移動が終了したことを検知して、ＣＭＳ画像の輝度とコントラストを定常状態に移行させて、低消費電力化を図る。
【０１０７】
輝度とコントラストのアップ状態を継続せず、輝度とコントラストを多少抑制した定常状態に移行することで、ＣＭＳ画像の輝度を低下させて、不必要な目の疲れや視神経疲労を和らげる効果を期待できる。
【０１０８】
サッケード運動は、修敏な細かなカクカクカクとした飛び飛びの回転加速と一方向を向いたら停止する小刻みな眼球運動であり、運転者の注意度を推定する指標になり得る。運転者の眼球のサッケード運動を検出するのが困難な場合には、表示制御部１０５は、輝度とコントラストのアップ状態を所定時間だけ継続させると、自動的に定常状態に移行させるようにしてもよい。
【０１０９】
その後、被視認安定ステータスに入ったことを検出すると、ＣＭＳ画像の輝度を平常時における設定値よりも下げて（例えば、投影部２０２のバックライトの輝度を平常時における設定値よりも下げる）、スタンバイ状態に移行させる。追突を回避しようとするときに起こり得る運転者の反射的で緊急な車線変更を除けば、運転者の振り向きざまでの車線変更の可否を判断してから、さらに車線変更の実行に移す際の確認へとつながることが想定される。視認を早めるために初期の視線移動でＣＭＳ画像の輝度とコントラストを引き上げて、運転者の周辺認知シーケンスの開始を手助けする（図１４の輝度・コントラストのアップ状態）。運転者は目標とする操舵が終了するまで複数回にわたりＣＭＳ画像の確認を行なうことが想定され、この期間は図１４の定常状態に相当する。そこで、ＣＭＳ画像が低輝度のスタンバイ状態への移行は、これら一連の動作が終了した後にＣＭＳ画像の瞬時の確認が重要でなくなった所定時間後に行なうのが望ましい。ここで言う所定時間とは、このシーケンスを加味した期間とし、最短でも数秒の単位、他の弊害がなければ数十秒の単位が望ましい。
【０１１０】
図１５には、図１３に示した画像表示装置１００の変形例を示している。図１５に示す画像表示装置１００は、センサー部１０４と、表示制御部１０５に加え、入力部１０６を装備している。
【０１１１】
表示部１０１は、反射板２０１として反射率又は透過率を電気的に制御可能な反射率可変ミラー（Ｅｌｅｃｔｒｏｃｈｒｏｍｉｃミラー）を用い、又は、投影部２０２から投影するＣＭＳ画像の輝度とコントラストやバックライトの照射光強度を制御可能であることを想定している。そして、表示制御部１０５は、センサー部１０４による検出結果に基づいて、表示部１０１における反射板２０１の反射率や、投影部２０２から投射するＣＭＳ画像の輝度とコントラストなどを制御する。なお、図７に示したように表示部１０１が自発光素子で構成される場合には、表示制御部１０５は、センサー部１０４による検出結果に基づいて、自発光素子の輝度とコントラストの調整を行なうようにする。
【０１１２】
表示制御部１０５は、センサー部１０４による検出結果に基づいて、上記（１）〜（６）で例示したような、表示部１０１が表示するＣＭＳ画像の輝度とコントラストの制御を行なう。
【０１１３】
さらに表示制御部１０５は、入力部１０６を介した運転者からの指示に応じて、反射板２０１の反射率を能動的に切り替え、投影部２０２のバックライトの照射光強度やＣＭＳ画像の輝度とコントラストの能動的に切り替える。
【０１１４】
例えば、運転者は、サイド・ウィンドウの一部に表示されたＣＭＳ画像を確認しようとしても、外光や環境光などの影響やその他の原因によりよく見えないときには、入力部１０６を介してＣＭＳ画像の輝度とコントラストを平常時における設定値よりも上げるように指示する。
【０１１５】
また、運転者は、サイド・ウィンドウ越しに車両前側方視界を確認しようとしたときに、ＣＭＳ画像の間接視界が邪魔になるときや、ＣＭＳ画像の輝度とコントラストが高過ぎて目の疲れや視神経疲労を感じるときには、入力部１０６を介してＣＭＳ画像の輝度とコントラストを平常時における設定値よりも下げるように指示する。
【０１１６】
但し、表示制御部１０５は、運転者から入力部１０６を介して指示が行なわれた場合であっても、センサー部１０４の検出結果に応じて、ＣＭＳ画像の輝度とコントラストの切り替えを禁止する（指示通りには切り替えを行なわない）ようにしてもよい。例えば、車両が高速走行中には、ＣＭＳ画像による後方の間接視界を常時確認する必要があることから、表示制御部１０５は、運転者から入力部１０６を介してＣＭＳ画像の輝度とコントラストを平常時における設定値よりも下げるように指示されたとしても、輝度とコントラストの切り替えを実施せず、又は、安全上視認確保に必要最低限のレベルにとどめる。
【産業上の利用可能性】
【０１１７】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１１８】
本明細書で開示する技術は、自動車（ガソリン車及びディーゼル車を含む）、電気自動車、ハイブリッド電気自動車、自動二輪車、自転車、パーソナル・モビリティーなどさまざまな車両、さらには道路を走行する車両以外の形態の移動体に適用することができる。
【０１１９】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【０１２０】
なお、本明細書の開示の技術は、以下のような構成をとることも可能である。
（１）車両のサイド・ウィンドウに画像を表示する表示部と、
前記表示部の表示状態に応じて、前記サイド・ウィンドウの開閉動作を制御する制御部と、
を具備する画像表示装置。
（２）前記制御部は、前記表示部が前記画像を表示中は、前記サイド・ウィンドウの開放操作を禁止し、又は、開放中の前記サイド・ウィンドウを閉成する、
上記（１）に記載の画像表示装置。
（３）前記表示部は、前記車両のピラーから離間した一部の領域に前記画像を表示する、
上記（１）に記載の画像表示装置。
（４）前記表示部は、左右視差のある画像を表示する、
上記（１）に記載の画像表示装置。
（５）前記表示部は、前記サイド・ウィンドウの一部の領域に配設された半透過の反射板と、前記反射板に前記画像を投影する投影部を備える、
上記（１）に記載の画像表示装置。
（６）縦格子状の反射鏡面領域が施された前記反射板を備える、
上記（５）に記載の画像表示装置。
（７）前記縦格子状の反射鏡面領域は、格子間隔と鏡面の割合が前記サイド・ウィンドウの周囲に行くに従って小さくなるように形成されている、
上記（５）に記載の画像表示装置。
（８）前記投影部は、前記車両のインストルメント・パネル・クラスター付近に設置される、
上記（５）に記載の画像表示装置。
（９）前記投影部は、前記車両のドアに配置され、前記サイド・ウィンドウに配設された前記反射板に向かって画像を投射する、
上記（５）に記載の画像表示装置。
（１０）前記反射板は、前記投影部からの投影光を異方性再帰反射する、
上記（９）に記載の画像表示装置。
（１１）前記投影部は、前記車両の運転者の眼球位置近傍の頭部位置に設置される、
上記（５）に記載の画像表示装置。
（１２）前記反射板は、再帰反射ビーズ又はフィルム、コーナーキューブ転写した半透明フィルムのいずれかからなる、
上記（１１）に記載の画像表示装置。
（１３）前記表示部は、前記サイド・ウィンドウの一部の領域に配設された自発光素子を備える、
上記（１）に記載の画像表示装置。
（１４）前記表示部は、異方性表示が可能なモニターと、前記サイド・ウィンドウの一部の領域に配設された半透過の反射板を備える、
上記（１）に記載の画像表示装置。
（１５）前記表示部は、前記画像に境界線を付けて表示する、
上記（１）に記載の画像表示装置。
（１６）前記表示部は、表示領域を複数に分割して、複数の画像を同時表示する、
上記（１）に記載の画像表示装置。
（１７）前記表示部は、前記車両の車載カメラで撮像された、視界が異なる複数の画像を同時表示する、
上記（１６）に記載の画像表示装置。
（１８）前記表示部は、前記車両の前側方視界の画像及び後側方視界の画像を並べて表示する、
上記（１６）に記載の画像表示装置。
（１９）前記表示部は、前記車両の側面視界の画像をさらに表示する、
上記（１８）に記載の画像表示装置。
（２０）前記表示部は、前記後側方視界の画像に対し、前記前側方視界の画像の表示拡大率を小さくして表示する、
上記（１８）に記載の画像表示装置。
（２１）前記表示部は、同時表示する画像間に境界線を付ける、
上記（１６）に記載の画像表示装置。
（２２）センサー部と、
前記センサー部の検出結果に基づいて前記表示部が表示する前記画像の輝度又はコントラスト又は半透過反射板の反射率の少なくとも１つを制御する表示制御部と、
をさらに備える、上記（１）に記載の画像表示装置。
（２３）前記表示部は、前記サイド・ウィンドウの一部の領域に配設された反射率可変ミラーと、前記反射率可変ミラーに前記画像を投影する投影部を備え、
前記表示制御部は、前記センサー部の検出結果に基づいて、前記反射率可変ミラーの反射率を制御する、
上記（２２）に記載の画像表示装置。
（２４）前記表示制御部は、前記センサー部が検出する外光又は環境光に応じて、前記画像の輝度又はコントラスト又は半透過反射板の反射率の少なくとも１つを制御する、
上記（２２）に記載の画像表示装置。
（２５）前記表示制御部は、前記センサー部が検出する前記車両の運転環境に応じて、前記画像の輝度又はコントラスト又は半透過反射板の反射率の少なくとも１つを制御する、
上記（２２）に記載の画像表示装置。
（２６）前記表示制御部は、前記センサー部が検出する前記車両の運転操作に応じて、前記画像の輝度又はコントラスト又は半透過反射板の反射率の少なくとも１つを制御する、
上記（２２）に記載の画像表示装置。
（２７）前記表示制御部は、前記センサー部が検出する前記車両の運転者の頭部の動き又は視線移動に応じて、前記画像の輝度又はコントラスト又は半透過反射板の反射率の少なくとも１つを制御する、
上記（２２）に記載の画像表示装置。
（２８）前記表示制御部は、前記センサー部が前記車両の運転者の頭部の動き又は視線移動を検出したことに応じて、前記画像の輝度又はコントラスト又は半透過反射板の反射率の少なくとも１つを制御する、
上記（２２）に記載の画像表示装置。
（２９）前記表示制御部は、前記センサー部が前記車両の運転者の頭部の動き又は視線移動を検出したことに応じて、前記画像の輝度又はコントラストを平常時における設定値よりも上げる、
上記（２２）に記載の画像表示装置。
（３０）前記表示制御部は、前記センサー部が前記車両の運転者の頭部の動き又は視線移動を一定期間検出しないときには、前記画像の輝度又はコントラストを平常時における設定値よりも下げる、
上記（２２）に記載の画像表示装置。
（３１）車両のサイド・ウィンドウに、前記車両のピラーから離間した一部の領域に画像を表示する表示部を具備する画像表示装置。
（３２）車両のサイド・ウィンドウに画像を表示する表示ステップと、
前記表示ステップにおける表示状態に応じて、前記サイド・ウィンドウの開閉動作を制御する制御ステップと、
を有する画像表示方法。
（３３）車両のサイド・ウィンドウに、前記車両のピラーから離間した一部の領域に画像を表示する表示ステップを有する画像表示方法。
（３４）開閉動作するサイド・ウィンドウと、
前記サイド・ウィンドウに画像を表示する表示部と、
前記表示部の表示状態に応じて、前記サイド・ウィンドウの開閉動作を制御する制御部と、
を具備する移動体。
【符号の説明】
【０１２１】
１００…画像表示装置、１０１…表示部、１０２…制御部
１０３…車載カメラ、１０４…センサー部、１０５…表示制御部
１０６…入力部
２０１…半透過反射板、２０２…投影部
【図１】
2017193190.tif 000003
【図２】
2017193190.tif 000004
【図３】
2017193190.tif 000005
【図４】
2017193190.tif 000006
【図５】
2017193190.tif 000007
【図６】
2017193190.tif 000008
【図７】
2017193190.tif 000009
【図８】
2017193190.tif 000010
【図９】
2017193190.tif 000011
【図１０】
2017193190.tif 000012
【図１１】
2017193190.tif 000013
【図１２】
2017193190.tif 000014
【図１３】
2017193190.tif 000015
【図１４】
2017193190.tif 000016
【図１５】
2017193190.tif 000017
【図１６】
2017193190.tif 000018